(57)【要約】      （修正有）【課題】リアルタイムマルチタスク通信システムを提供する。【解決手段】一種のリアルタイムマルチタスク通信システムを開示するもので、複数のユーザが多者間の単一、或いは、多言語のメッセージ交換の提供に用い、該システムは少なくともクライアント側、及び、ウエブインターフェースサービスを提供するウエブサーバーを含み、該クライアント側が、ネットワーク伝送の実行とマルチメディアデータフローの受信に用い、該ウエブインターフェースサービスを提供するウエブサーバーは、ユーザの関連情報の識別とログインに用いるユーザログインモジュールと、ログインユーザの情報、及び、マルチメディアデータフローの保存に用いるデータモジュールと、会話に参加するログインユーザを選択して会話に参加するための会話選択モジュール、及び、文字、音声や映像のメッセージ交換を実行することでリアルタイム多者会議を行うための会議表示モジュールを含む。【選択図】図４
0003143887.tif 000002
【実用新案登録請求の範囲】
【請求項１】
複数のユーザが多者間の単一、或いは、多言語のメッセージ交換の提供に用いるリアルタイムマルチタスク通信システムであって、前記システムは少なくともクライアント側、及び、ウエブインターフェースサービスを提供するウエブサーバーを含み、
前記クライアント側がネットワーク伝送の実行とマルチメディアデータフローの受信に用い、前記ウエブインターフェースサービスを提供するウエブサーバーはユーザの関連情報の識別とログインに用いるユーザログインモジュールと、
ログインユーザの情報、及び、マルチメディアデータフローの保存に用いるデータモジュールと、
会話に参加するログインユーザを選択して会話に参加するための会話選択モジュール、及び、
文字、音声や映像のメッセージ交換を実行することでリアルタイム多者会議を行うための会議表示モジュールを含むことを特徴とする、リアルタイムマルチタスク通信システム。
【請求項２】
請求項１記載のリアルタイムマルチタスク通信システムにおいて、前記クライアント側はネットワーク接続を備えた電子装置で、並びに、ルータを通じてマルチメディアデータフローを目的アドレスに送信できることを特徴とする、リアルタイムマルチタスク通信システム。
【請求項３】
請求項１記載のリアルタイムマルチタスク通信システムにおいて、前記クライアント側がウエブサーバーに接続する時、送信、或いは、受信プロセスを実行するいかなるプログラムをダウンロードする必要がないことを特徴とする、リアルタイムマルチタスク通信システム。
【請求項４】
請求項２記載のリアルタイムマルチタスク通信システムにおいて、前記電子装置はブラウザを具備し、且つ、前記電子装置はパソコン、移動体通信装置、或いは、個人用デジタル補助装置のいずれかとすることができることを特徴とする、リアルタイムマルチタスク通信システム。
【請求項５】
請求項２記載のリアルタイムマルチタスク通信システムにおいて、前記ネットワーク接続はローカルエリアネットワーク、無線ネットワーク、或いは、有線ネットワークを通じて直接クライアント側がサーバーにリンクすることを指すことを特徴とする、リアルタイムマルチタスク通信システム。
【請求項６】
請求項２記載のリアルタイムマルチタスク通信システムにおいて、前記ルータは前記マルチメディアデータフローの目的アドレスをアクセスすると共に前記データフローを最寄りのサーバーに送信できることを特徴とする、リアルタイムマルチタスク通信システム。
【請求項７】
請求項１記載のリアルタイムマルチタスク通信システムにおいて、前記ユーザログインモジュールはクライアント側のユーザが権限パスワードを通じて前記ウエブサーバーにログインさせることができ、前記権限パスワードがユーザの情報を識別することを特徴とする、リアルタイムマルチタスク通信システム。
【請求項８】
請求項１記載のリアルタイムマルチタスク通信システムにおいて、前記マルチメディアデータフローは少なくともユーザファイル、及び、その要求を含むことを特徴とする、リアルタイムマルチタスク通信システム。
【請求項９】
請求項８記載のリアルタイムマルチタスク通信システムにおいて、前記マルチメディアデータフローはオンライン商流、情報流、或いは、物流サービスにリンクできることを特徴とする、リアルタイムマルチタスク通信システム。
【請求項１０】
請求項９記載のリアルタイムマルチタスク通信システムにおいて、前記オンライン商流サービスは時間数決済メカニズム、貯めたポイントの交換、及び、商品販売を指すことを特徴とする、リアルタイムマルチタスク通信システム。
【請求項１１】
請求項９記載のリアルタイムマルチタスク通信システムにおいて、ログモジュールを更に含み、ユーザログインモジュールを実行した時、前記ログモジュールを起動してユーザのオンライン商流、情報流、或いは、物流サービスの実行履歴を記録できることを特徴とする、リアルタイムマルチタスク通信システム。
【請求項１２】
請求項１記載のリアルタイムマルチタスク通信システムにおいて、前記ログインユーザは言語翻訳者であることを特徴とする、リアルタイムマルチタスク通信システム。
【請求項１３】
請求項１２記載のリアルタイムマルチタスク通信システムにおいて、前記言語翻訳者は翻訳者の言語別、料金要求、及び、履歴メッセージを含む情報をその他のオンラインログインユーザに提供することを特徴とする、リアルタイムマルチタスク通信システム。
【請求項１４】
請求項１記載のリアルタイムマルチタスク通信システムにおいて、前記会話選択モジュールは適した言語翻訳者のみを選択してログインユーザと会話できることを特徴とする、リアルタイムマルチタスク通信システム。
【請求項１５】
請求項１、または、請求項１４記載のリアルタイムマルチタスク通信システムにおいて、前記会話選択モジュールは全てのオンライン翻訳者を更に表示できることを特徴とする、リアルタイムマルチタスク通信システム。
【請求項１６】
請求項１記載のリアルタイムマルチタスク通信システムにおいて、前記会議表示モジュールはウインドウ方法でマルチメディアメッセージを表示することを特徴とする、リアルタイムマルチタスク通信システム。
【請求項１７】
請求項１、または、請求項１６記載のリアルタイムマルチタスク通信システムにおいて、前記会議表示モジュールは会議時間を計算するためのカウンターを更に含むことを特徴とする、リアルタイムマルチタスク通信システム。
【考案の詳細な説明】
【技術分野】
【０００１】
本考案は、リアルタイムマルチタスク通信システムに関り、特に、複数のユーザにいつでもどこでも多者間の単一或いは多言語のメッセージ交換を提供することに用いることに関る。
【背景技術】
【０００２】
通信技術の発展により、インターネットを介してグローバル情報網を構築でき、クライアント側も異なる携帯電話、個人用デジタル補助装置及びノートブックタイプパソコンのような電子装置のネットワークを通じて該情報網にリンクすることができる。このように複数のユーザが異なる通信システムを通じて、相互に言語と文字メッセージを伝送できることで、相互通信の目的を達成している。図１に示すものは、既知の通信システムで、ユーザはクライアント側１０１のブラウザを通じてウエブサイト１０３にログインし、またサービスプラットフォームのウエブを経由して、会話したいチャットウインドウ１０４を開く。別のユーザもクライアント側１０２のブラウザを通じてウエブサイト１０３にログインし、並びにサービスプラットフォームのウエブを経由して、該会話のチャットウインドウ１０４にアクセスできる。そのためユーザはその通信要求に応じて該チャットウインドウ１０４内で音声、文字で会話を行うことができる。
【０００３】
しかし現在の社会は多元的世界村の構造で、人々が通信システムを利用してマルチポイントツーマルチポイントのメッセージ交換及び多元化言語の通話が現在の通信において必須の要件となっている。また上述の既知通信システムはユーザのニーズを満たすことができないため、ユーザ相互間においてリアルタイム通信を行わせることができない。
【０００４】
本考案の考案者は、以上の点に鑑み、複数のユーザにいつでもどこでもリアルタイムで多者間の単一或いは多言語のメッセージ交換を行うことを達成できる一種のリアルタイムマルチタスク通信システムを提供することをその課題としている。
【考案の開示】
【考案が解決しようとする課題】
【０００５】
上述の課題に鑑み、本考案の主な目的は、特に複数のユーザにいつでもどこでも多者間の単一或いは多言語のメッセージ交換に用いるリアルタイムマルチタスク通信システムを提供することにある。
【０００６】
本考案の別の目的は、複数のユーザが多者間の単一或いは多言語のメッセージ交換を行う時、ユーザがネットワークを通じてウエブサーバーにリンクすることと、パスワードでログイン及びユーザの情報を該ウエブサーバーに入力すると共にログインユーザ或いは翻訳者の情報及びマルチメディアデータフローをウエブサーバーに保存すること及び、会話に参加するユーザとデータモジュール内で適した翻訳者を選択して会話に参加した後、文字、音声及び映像のメッセージ交換を行うことでリアルタイム多者会議を行うことを提供することにある。
【０００７】
さらに、本考案の別の目的は、複数のユーザが多者間の単一或いは多言語のメッセージ交換を行う時、ユーザがネットワークを通じてウエブサーバーにリンクすることと、パスワードでログイン及びユーザの情報を該ウエブサーバーに入力すると共に翻訳者の情報及びマルチメディアデータフローをウエブサーバーに保存すること及び、データモジュール内で適した翻訳者を選択して会話に参加した後、文字、音声及び映像のメッセージ交換を行うことでリアルタイム授業会議を行うことを提供することにある。
【課題を解決するための手段】
【０００８】
上述の目的を達成するため、本考案で開示するリアルタイムマルチタスク通信システムは、複数のユーザが多者間の単一或いは多言語のメッセージ交換の提供に用い、該システムは少なくともクライアント側及びウエブインターフェースサービスを提供するウエブサーバーを含み、該クライアント側が、ネットワーク伝送の実行とマルチメディアデータフローの受信に用い、ウエブインターフェースサービスを提供するウエブサーバーは、ユーザの関連情報の識別とログインに用いるユーザログインモジュールと、ログインユーザの情報及びマルチメディアデータフローの保存に用いるデータモジュールと、会話に参加するログインユーザを選択して会話に参加するための会話選択モジュール及び、文字、音声や映像のメッセージ交換を実行することでリアルタイム多者会議を行うための会議表示モジュールを含む。
【０００９】
本考案の該クライアント側とはネットワーク接続を備えた電子装置で、並びにルータを通じてマルチメディアデータフローを目的アドレスに送信できるものをいう。好ましくは該クライアント側がウエブサーバーに接続する時、送信或いは受信プロセスを実行するいかなるプログラムをダウンロードする必要がないことである。
【００１０】
本考案に係わる該電子装置はブラウザを具備し、且つ該電子装置はパソコン、移動体通信装置或いは個人用デジタル補助装置のいずれかを含むがこれに限定されることがないものとする。
【００１１】
本考案に係わるネットワーク接続は、ローカルエリアネットワーク、無線ネットワーク或いは有線ネットワークで直接クライアント側がサーバーにリンクすることを含むものとするが、これに限定されることがない。
【００１２】
本考案に係わる該ルータは該マルチメディアデータフローの目的アドレスをアクセスすると共に該データフローを最寄りのサーバーに送信できる。
【００１３】
本考案内の該ログインユーザは一般的にリアルタイム翻訳を行う翻訳者或いはログインユーザの通信期間における言語翻訳サービスを提供する言語翻訳者で、該言語翻訳者はウエブで翻訳者の言語別、料金要求及び履歴のメッセージを含む情報をその他のオンラインログインユーザに提供できる。
【００１４】
本考案内のウエブインターフェースサービスを提供するウエブサーバーは、次のものを含む。
【００１５】
ユーザの関連情報の識別とログインに用いるユーザログインモジュールで、好ましくはユーザログインモジュールでクライアント側のユーザが権限パスワードを通じて該ウエブサーバーにログインさせることができ、該権限パスワードがユーザの情報を識別するために用いる。
【００１６】
ログインユーザの情報及びマルチメディアデータフローの保存に用いるデータモジュールで、該マルチメディアデータフローは少なくともユーザファイル及びその要求を含む。好ましくは該マルチメディアデータフローでオンライン商流、情報流或いは物流サービスにリンクできる。例えば該オンライン商流サービスとは、時間数決済メカニズム、貯めたポイントの交換及び商品販売をいう。
【００１７】
会話に参加するログインユーザを選択して会話に参加するための会話選択モジュールで、好ましくは会話選択モジュールで全てのオンライン翻訳者を更に表示できる。具体的な実施例において、該会話選択モジュールは適した言語翻訳者のみを選択してログインユーザと会話できる。
【００１８】
文字、音声や映像のメッセージ交換を実行することでリアルタイム多者会議を行うための会議表示モジュールで、該会議表示モジュールはウインドウ方法でマルチメディアメッセージを示す。好ましくは会議表示モジュールで会議時間の計算に用いるカウンターを更に含む。
【００１９】
本考案ではログモジュールを更に含むことができ、ユーザログインモジュールを実行した時、該ログモジュールを起動してユーザのオンライン商流、情報流或いは物流サービスの実行履歴を記録できる。
【００２０】
以上で述べたことによると、本考案のリアルタイムマルチタスク通信システムは、マルチメディアデータフローの交換を通じてリアルタイム文字、音声及び映像メッセージの交換を達成することでリアルタイム会議を行うことができる。そのため該リアルタイムマルチタスク通信システムを通じてオンライン電子商取引のリアルタイム価格比較・取引及びオンライン補習授業の機能を実現できる。更にオンライン商流サービスへのリンクを通じて、時間数決済メカニズム、貯めたポイントの交換及び多様な商品の販売サービスを実現できる。
【００２１】
当該技術を熟知する者に本考案の目的、特徴及び効果について理解していただくため、下記の具体的な実施例を介し付属の図面を組み合わせることで、本考案に対する詳細な説明を後記のとおり行うものである。
【考案を実施するための最良の形態】
【００２２】
図２は、本考案のリアルタイムマルチタスク通信システムの好適実施形態のデバイスブロック図である。このリアルタイムマルチタスク通信システムは少なくともクライアント側２０１、２０２、２０３、ネットワーク２０４、ウエブサーバー３００を含み、該ウエブサーバー３００は少なくともウエブ３０１、ユーザログインモジュール３１０、データモジュール３２０、会話選択モジュール３３０、会議表示モジュール３４０を更に含む。該リアルタイムマルチタスク通信システムは複数のユーザに多者間の多言語のメッセージ交換を提供し、いずれかのユーザはいずれかのクライアント側２０１、２０２、２０３を通じてユーザの関連マルチメディアデータフローのメッセージの送信と受信を実行し、該クライアント側はネットワーク接続のIPアドレスを具備する電子装置を指す。また電子装置はブラウザを備えたパソコン、移動体通信装置或いは個人用デジタル補助装置とすることができる。ユーザは該装置を通じて直接ネットワークに接続し、またルータを経由して、該マルチメディアデータフローの目的アドレスにアクセスして該マルチメディアデータフローを最寄りのウエブサーバー３００へ転送できる。該ウエブサーバーはウエブ３０１インターフェースサービスを提供することで、各ユーザに該インターフェースを通じて多者間の多言語のリアルタイムメッセージ交換を行わせる。
【００２３】
図３は、本考案のユーザログインモジュールのブロック図である。そのウエブサーバー３００はユーザログインモジュール３１０を更に含み、該ユーザログインモジュール３１０はユーザの関連情報の識別とログインに用いる。ユーザは該モジュールで個人権限パスワードの資料或いはその映像資料にログインし、該ユーザログインモジュール３１０はユーザの入力した権限パスワードによりユーザ身元の識別及びユーザの関連情報を保存する。該ウエブサーバーはデータモジュール３２０を更に含み、これは翻訳者の関連情報及び該マルチメディアデータフローの保存に用いる。多言語の翻訳者を具備する場合も該ウエブ３０１インターフェースでその翻訳者の言語別、料金要求或いは履歴のメッセージをログインすると共に該データモジュール３２０内に保存することができる。
【００２４】
図４は、本考案の会話選択モジュールのブロック図である。該ウエブサーバーも会話選択モジュール３３０を含み、これは会話に参加するユーザ或いはデータモジュール内で会話参加に適した翻訳者を選択することに用いる。ユーザは該会話を通じてモジュールのウエブインターフェースを選択して会話に参加したいメンバーを選定できる。ユーザも該モジュールを通じてデータモジュール内の翻訳者情報を読み取ることができ、またその言語ニーズに応じて会話に参加するオンライン翻訳者を選択できる。
【００２５】
図５は、本考案の会議表示モジュール図である。該ウエブサーバーも会議表示モジュール３４０を含み、文字、音声及び映像のメッセージなどのマルチメディアのメッセージ交換を実行することでリアルタイム多者会議を行い、並びに該メッセージを保存できる。ユーザと翻訳者は該モジュールインターフェースを通じて会議を行い、該会議表示モジュールのウエブインターフェースも会議で行ったマルチメディアのメッセージ交換を表示できる。このためユーザは翻訳者と一緒に会議を通じて、ユーザが互いにリアルタイム文字、音声及び映像のメッセージ交換を実行できる。該会議表示モジュールは、会議時間を計算するカウンターを更に含む。該ウエブサーバーは該会議時間及びデータモジュール内の翻訳者料金要求メッセージに基づいて、ユーザの支払うべき費用を計算する。
【００２６】
図６は、本考案のリアルタイムマルチタスク通信システムの実施形態見取図である。ステップ４０１において、ユーザはブラウザを備える電子装置の直接ネットワークによりウエブサーバー３００に接続する。例えばユーザはパソコン、移動体通信装置或いは個人用デジタル補助装置を利用して本考案のウエブサーバー３００を直接ブラウジングする。ステップ４０２において、ユーザはユーザログインモジュール３１０内にユーザの権限パスワード、認証映像、ユーザファイル及びその要求をウエブサーバー３００にログインする。ステップ４０３において、翻訳者は該ウエブサーバーにログインすることを通じて表示したいデータを入力した場合、ウエブサーバーは翻訳者の言語別、料金要求或いは履歴のメッセージなどの翻訳者情報をデータモジュール３２０内に保存する。ステップ４０４において、ユーザは会話選択モジュール３３０内で会話に参加するメンバーを選択し、ユーザもデータモジュール内の翻訳者関連情報を読み取ることで、会話上の言語ニーズによりオンライン翻訳者を選択して会話に参加することができる。ステップ４０５において、ユーザと翻訳者は会議表示モジュール３４０内でリアルタイム会議を行うことができる。翻訳者はリアルタイムでユーザが伝達したいメッセージを翻訳するため、ユーザは相互にリアルタイム文字、音声或いは映像のマルチメディアメッセージ交換を実行できる。会議進行中も時間計算或いは録画を行うことができ、該ウエブサーバーはその会議時間及びデータモジュール内の翻訳者料金需要のメッセージに基づいて、ユーザの支払うべき費用を計算する。
【００２７】
これにより上述の実施形態を通じて、商品サービス提供者は該リアルタイムマルチタスク通信システムを通じてオンライン電子商取引のリアルタイム価格比較・取引を実現して提供したいサービス及び商品などのマルチメディアメッセージをウエブプラットフォームに表示し、ユーザは電子装置により直接そのブラウザで該サービスウエブにログインできる。こうすることで、ユーザは該リアルタイム通信手段の時差ゼロ、距離ゼロを通じてウエブサービス提供者とリアルタイム映像通話及び商品の問い合わせを行うことができるため、取引コスト及び取引時間の短縮を達成できる。更にオンライン商流サービスにリンクして、時間数決済メカニズム、貯めたポイントの交換及び多様な商品の販売サービスを更に実現できる。
【００２８】
図７は、本考案のリアルタイムマルチタスク通信システムの別の実施形態見取図である。ステップ５０１において、ユーザはブラウザを備える電子装置のネットワークによりウエブサーバー３００に接続する。例えばユーザはパソコン、移動体通信装置或いは個人用デジタル補助装置を利用して本考案のウエブサーバー３００をブラウジングする。ステップ５０２において、ユーザはユーザログインモジュール３１０内にユーザの権限パスワード、認証映像、ユーザファイル及びその要求をウエブサーバー３００にログインする。ステップ５０３において、翻訳者は該ウエブサーバーにログインすることを通じて表示したいデータを入力した場合、ウエブサーバーは翻訳者の言語別、料金要求或いは履歴のメッセージなどの翻訳者情報をデータモジュール３２０内に保存する。ステップ５０４において、ユーザは会話選択モジュール３３０内で会話に参加するメンバーを選択し、ユーザもデータモジュール内の翻訳者関連情報を読み取ることで、会話上の言語ニーズによりオンライン翻訳者を選択して会話に参加することができる。ステップ５０５において、ユーザと翻訳者は会議表示モジュール３４０内で授業会議を行うことができる。翻訳者はリアルタイムでユーザが伝達したいメッセージを翻訳するため、ユーザと翻訳者は相互にリアルタイム文字、音声或いは映像のマルチメディアメッセージ交換を実行できる。授業会議進行中も録画、時間計算を行うことができ、該ウエブサーバーはその授業会議時間及びデータモジュール内の翻訳者料金需要のメッセージに基づいて、ユーザの支払うべき費用を計算する。
【００２９】
これにより上述の実施形態を通じて、授業サービス提供者は該リアルタイムマルチタスク通信システムを通じてオンライン補習授業の働きを実現して提供したいサービス及び授業などのマルチメディアメッセージをウエブプラットフォームに表示し、ユーザは電子装置により直接そのブラウザで該授業サービスウエブにログインできる。こうすることで、ユーザは該リアルタイム通信手段の時差ゼロを通じて授業サービス提供者とリアルタイム映像通話及び言語勉強を行うことができる。ユーザはその授業時間及び料金要求のメッセージに基づいて該補習授業料を支払うことになる。
【００３０】
以上の実施形態は、本考案を詳細に説明したが、以上の述べるものは本考案のいずれかの好ましい実施例のみであって、本考案の実施範囲に限定されることなく、本考案の請求範囲に基づいて行う種々の改良変更をなし得たとしても本考案の実用新案登録請求の範囲内に含むものであるのが勿論である。
【図面の簡単な説明】
【００３１】
【図１】既知の通信システムである。
【図２】本考案のリアルタイムマルチタスク通信システムの好適実施形態のデバイス ブロック図である。
【図３】本考案のユーザログインモジュールのブロック図である。
【図４】本考案の会話選択モジュールのブロック図である。
【図５】本考案の会議表示モジュール図である。
【図６】本考案のリアルタイムマルチタスク通信システムの実施形態の見取図である。
【図７】本考案のリアルタイムマルチタスク通信システムの別の実施形態の見取図である。
【符号の説明】
【００３２】
２０１、２０２、２０３  クライアント側
２０４  ネットワーク
３００  ウエブサーバー
３０１  ウエブ
３１０  ユーザログインモジュール
３２０  データモジュール
３３０  会話選択モジュール
３４０  会議表示モジュール
【図１】
0003143887.tif 000003
【図２】
0003143887.tif 000004
【図３】
0003143887.tif 000005
【図４】
0003143887.tif 000006
【図５】
0003143887.tif 000007
【図６】
0003143887.tif 000008
【図７】
0003143887.tif 000009